(57)【要約】【課題】特開２００４−２０８００２のように、番組情報提供サーバから放送番組の放送時間に関する補助情報を受信し、放送延長された番組を含め、それ以降の収録予約された各番組の収録の確実性を向上させる方法がある。しかし、番組情報提供サーバに接続できなければ、補正できないという課題があった。【解決手段】テレビ受信機１００において、変更内容入力部１０に、番組情報の変更時間を入力し、変更対象入力部２０に、変更対象とするチャンネルおよび変更対象とする時間帯（範囲）を入力することにより、番組予約情報取得部３０、番組予約情報管理部６０および変更対象番組予約情報リスト作成部４０を用いて作成した変更対象番組予約情報リストの開始時刻および終了時刻を、番組予約情報一括変更部５０において、一括して変更する。【選択図】図１
2006295450.tif 000002
【特許請求の範囲】
【請求項１】
変更内容を入力する手段と、変更対象を入力する手段と、番組予約情報を管理する手段と、前記番組予約情報を管理する手段を用いて番組予約情報を取得する手段と、前記変更対象を入力する手段および前記番組予約情報を取得する手段を用いて変更対象となる番組予約情報リストを作成する手段と、前記番組予約情報リストを作成する手段を用いて作成された番組予約情報リストの内容を一括変更する手段とを具備することを特徴とする番組予約情報補正装置。
【請求項２】
前記番組予約情報を管理する手段において、録画機器に番組予約情報を送信する手段を具備することを特徴とする請求項１記載の番組予約情報補正装置。
【発明の詳細な説明】
【技術分野】
【０００１】
本発明は、番組予約情報補正装置に関するものである。
【背景技術】
【０００２】
従来、番組情報提供サーバから放送番組の放送時間に関する補助情報を受信し、放送延長された番組を含め、それ以降の収録予約された各番組の収録の確実性を向上させるという装置がある（例えば、特許文献１参照）。また、放送されている番組情報を変更することにより、変更された番組情報を受信した受信機に登録されている番組予約情報を変更できることはデジタル放送では公知である。さらに、１つ１つの番組予約情報をユーザの入力により変更できることは公知である。
【特許文献１】特開２００４−２０８００２号公報
【発明の開示】
【発明が解決しようとする課題】
【０００３】
従来は、番組情報提供サーバや放送から変更された番組情報を受信することで、番組予約情報を変更することは可能であったが、サーバと通信できないまたは放送で番組情報を変更できない状況では、複数の番組予約情報を一括して変更することはできなかった。
【０００４】
本発明は、番組情報の変更時間、変更対象とするチャンネルおよび変更対象とする時間帯（範囲）を入力することにより、変更対象に該当する複数の番組予約情報の開始時刻および終了時刻を放送や通信手段を用いることなく一括して変更できることを目的とする。
【課題を解決するための手段】
【０００５】
本発明の請求項１に係る番組予約情報補正装置は、変更内容を入力する手段と、変更対象を入力する手段と、番組予約情報を管理する手段と、前記番組予約情報を管理する手段を用いて番組予約情報を取得する手段と、前記変更対象を入力する手段および前記番組予約情報を取得する手段を用いて変更対象となる番組予約情報リストを作成する手段と、前記番組予約情報リストを作成する手段を用いて作成された番組予約情報リストの内容を一括変更する手段とを具備することを特徴とする。
【０００６】
また、本発明の請求項２に係る番組予約情報補正装置は、請求項１の番組予約情報補正装置の構成において、録画機器に番組予約情報を送信する手段を具備することを特徴とする。
【発明の効果】
【０００７】
本発明により、ある番組の放送時間が変更されたことをユーザが映像のテロップ等の情報から認識した場合に、ユーザが番組情報の変更時間、変更対象とするチャンネルおよび変更対象とする時間帯（範囲）を入力することにより、変更対象に該当する複数の番組予約情報の開始時刻および終了時刻を放送や通信手段を用いることなく一括して変更することが可能となる。
【発明を実施するための最良の形態】
【０００８】
（実施の形態１）
図１は、本発明の実施の形態１に係る番組予約情報補正装置の構成を示すブロック図である。
【０００９】
１００は番組予約情報補正装置を有するテレビ受信機、１０は変更内容を入力する変更内容入力部、２０は変更対象を入力する変更対象入力部、３０は番組予約情報を取得する番組予約情報取得部、４０は変更対象となる番組予約情報のリストを作成する変更対象番組予約情報リスト作成部、５０は変更対象番組予約情報リストの内容を一括変更する番組予約情報一括変更部、６０は番組予約情報を管理する番組予約情報管理部である。
【００１０】
次に、本発明の番組予約情報補正処理について、図２に示すフローチャートを用いて説明する。
【００１１】
テレビ受信機１００において、番組情報の変更時間を変更内容入力部１０に入力する（図２のステップ１０）、変更対象とするチャンネルおよび変更対象とする時間帯（範囲）を変更対象入力部２０に入力する（図２のステップ１５）。番組予約情報取得部３０において、番組予約情報管理部６０に登録されているすべての番組予約情報を取得したかを確認する（図２のステップ２０）。ステップ２０の確認結果が、番組予約情報管理部６０に登録されているすべての番組予約情報を取得していないという結果であれば、番組予約情報取得部３０において、番組予約情報管理部６０から番組予約情報を取得する（図２のステップ３０）。番組予約情報取得部３０において、ステップ３０において取得した番組予約情報が、ステップ１５において入力された変更対象とするチャンネルおよび変更対象とする時間帯（範囲）に含まれる番組予約情報かを確認する（図２のステップ４０）。ステップ４０の確認結果が、ステップ３０において取得した番組予約情報が、ステップ１５において入力された変更対象とするチャンネルおよび変更対象とする時間帯（範囲）に含まれているという結果であれば、変更対象番組予約情報リスト作成部４０において、変更対象番組予約情報リストに追加する（図２のステップ５０）。ステップ４０の確認結果が、ステップ３０において取得した番組予約情報が、ステップ１５において入力された変更対象とするチャンネルおよび変更対象とする時間帯（範囲）に含まれていないという結果であれば、ステップ２０の確認を行う。ステップ５０完了後も、ステップ２０の確認を行う。ステップ２０の確認結果が、番組予約情報管理部６０に登録されているすべての番組予約情報を取得したという結果であれば、変更対象番組予約情報リストの開始時刻および終了時刻を、ステップ１０において入力された番組情報の変更時間分一括変更する（図２のステップ６０）。
【００１２】
（実施の形態２）
図３は、本発明の実施の形態２に係る番組予約情報補正装置の構成を示すブロック図である。
【００１３】
１００は番組予約情報補正装置を有するテレビ受信機、１０は変更内容を入力する変更内容入力部、２０は変更対象を入力する変更対象入力部、３０は番組予約情報を取得する番組予約情報取得部、４０は変更対象となる番組予約情報のリストを作成する変更対象番組予約情報リスト作成部、５０は変更対象番組予約情報リストの内容を一括変更する番組予約情報一括変更部、６０は番組予約情報を管理する番組予約情報管理部、７０は番組予約情報を送信する番組予約情報送信部、１１０は番組予約情報を受信可能な録画機器である。
【００１４】
次に、本発明の番組予約情報補正処理について、図４に示すフローチャートを用いて説明する。
【００１５】
テレビ受信機１００において、番組情報の変更時間を変更内容入力部１０に入力する（図４のステップ１０）、変更対象とするチャンネルおよび変更対象とする時間帯（範囲）を変更対象入力部２０に入力する（図４のステップ１５）。番組予約情報取得部３０において、番組予約情報管理部６０に登録されているすべての番組予約情報を取得したかを確認する（図４のステップ２０）。ステップ２０の確認結果が、番組予約情報管理部６０に登録されているすべての番組予約情報を取得していないという結果であれば、番組予約情報取得部３０において、番組予約情報管理部６０から番組予約情報を取得する（図４のステップ３０）。番組予約情報取得部３０において、ステップ３０において取得した番組予約情報が、ステップ１５において入力された変更対象とするチャンネルおよび変更対象とする時間帯（範囲）に含まれる番組予約情報かを確認する（図４のステップ４０）。ステップ４０の確認結果が、ステップ３０において取得した番組予約情報が、ステップ１５において入力された変更対象とするチャンネルおよび変更対象とする時間帯（範囲）に含まれているという結果であれば、変更対象番組予約情報リスト作成部４０において、変更対象番組予約情報リストに追加する（図４のステップ５０）。ステップ４０の確認結果が、ステップ３０において取得した番組予約情報が、ステップ１５において入力された変更対象とするチャンネルおよび変更対象とする時間帯（範囲）に含まれていないという結果であれば、ステップ２０の確認を行う。ステップ５０完了後も、ステップ２０の確認を行う。ステップ２０の確認結果が、番組予約情報管理部６０に登録されているすべての番組予約情報を取得したという結果であれば、変更対象番組予約情報リストの開始時刻および終了時刻を、ステップ１０において入力された番組情報の変更時間分一括変更する（図４のステップ６０）。番組予約情報管理部６０において、番組予約情報が変更されたことを検知する（図４のステップ７０）。番組予約情報管理部６０において、番組予約情報送信部７０から録画機器１１０に変更された番組予約情報を送信する（図４のステップ８０）。
【産業上の利用可能性】
【００１６】
本発明の番組予約情報補正装置は、ある番組の放送時間が変更されたことをユーザが映像のテロップ等の情報から認識した場合に、ユーザが番組情報の変更時間、変更対象とするチャンネルおよび変更対象とする時間帯（範囲）を入力することにより、変更対象に該当する複数の番組予約情報の開始時刻および終了時刻を放送や通信手段を用いることなく一括して変更することができ、番組予約機能をユーザに提供する機器として有用である。
【図面の簡単な説明】
【００１７】
【図１】本発明の実施の形態１における番組予約情報補正装置の構成を示すブロック図
【図２】本発明の実施の形態１における番組予約情報補正処理を示すフローチャート
【図３】本発明の実施の形態２における番組予約情報補正装置の構成を示すブロック図
【図４】本発明の実施の形態２における番組予約情報補正処理を示すフローチャート
【符号の説明】
【００１８】
１００    テレビ受信機
１０    変更内容入力部
２０    変更対象入力部
３０    番組予約情報取得部
４０    変更対象番組予約情報リスト作成部
５０    番組予約情報一括変更部
６０    番組予約情報管理部
７０    番組予約情報送信部
１１０    録画機器
【図１】
2006295450.tif 000003
【図２】
2006295450.tif 000004
【図３】
2006295450.tif 000005
【図４】
2006295450.tif 000006